(57)【要約】【課題】上部が大きく開口した動物用トイレを、外部から視認可能に包装する包装体において、流通時に必要な強度を確保できる包装体を提供すること。【解決手段】動物用トイレの包装体１は、上部が開口した動物の排泄物を収容可能な動物用トイレ１０と、動物用トイレ１０に用いられる付属品５と、動物用トイレ１０及び付属品５を包装するケース４と、を備え、ケース４は、少なくとも開口を覆う上面部４２１と、動物用トイレの底面部３１に接するケース底面部４１と、向かい合う一対の側面部４２２と、を有し、少なくとも上面部４２１が透明なシート状部材で構成され、付属品５を収容し、動物用トイレの底面部２１の上面から上面部４２１までの高さを有する付属品収容容器６をさらに備える。【選択図】図１
2015065955.tif 000002
【特許請求の範囲】
【請求項１】
上部が開口した動物の排泄物を収容可能な動物用トイレと、
該動物用トイレに用いられる付属品と、
前記動物用トイレ及び前記付属品を包装するケースと、を備える動物用トイレの包装体であって、
前記ケースは、少なくとも前記開口を覆う上面部と、前記動物用トイレの底面部に接するケース底面部と、向かい合う一対の側面部と、を有し、少なくとも前記上面部が透明なシート状部材で構成され、
前記付属品を収容し、前記動物用トイレの底面部の上面から前記上面部までの高さを有する付属品収容容器をさらに備える動物用トイレの包装体。
【請求項２】
前記動物用トイレは、前記動物用トイレの底面部の前記上面に形成される高摩擦領域を有する請求項１に記載の動物用トイレの包装体。
【請求項３】
前記動物用トイレは、
前記動物が出入り可能であるとともに、液体を透過可能な貫通孔が形成された上部底面部を有する上部容器と、
該上部容器の下方に配置される下部容器と、を備え、
前記高摩擦領域は、前記貫通孔により構成されている請求項２に記載の動物用トイレの包装体。
【請求項４】
前記付属品収容容器は、前記付属品が収容される収容容器本体と、該収容容器本体の下端部から突出する突起部と、を備え、
前記付属品収容容器が前記上部底面部に配置された状態で、
前記突起部が前記貫通孔に係合する請求項３に記載の動物用トイレの包装体。
【請求項５】
前記収容容器本体は、内部を視認可能に切り欠かれて形成された切り欠き部を有する請求項４に記載の動物用トイレの包装体。
【請求項６】
前記上部底面部は、前記高摩擦領域から前記上部容器の外周縁に向かって緩やかに上り傾斜する傾斜領域を備える請求項３〜５のいずれか１項に記載の動物用トイレの包装体。
【請求項７】
前記付属品収容容器は、前記シート状部材よりも剛性の高い部材で形成される請求項１〜６のいずれか１項に記載の動物用トイレの包装体。
【請求項８】
前記ケース底面部は、前記シート状部材よりも剛性の高い部材で形成される請求項１〜７のいずれか１項に記載の動物用トイレの包装体。
【請求項９】
前記動物用トイレは、該動物用トイレの側壁から外側に突出する一対の取手部を有し、
前記ケースは、少なくとも前記一対の取手部が配置される面が開口している請求項１〜８のいずれか１項に記載の動物用トイレの包装体。
【請求項１０】
前記ケース底面部は、前記ケースが前記動物用トイレを包装した状態で、前記取手部に嵌合する嵌合固定部を備える請求項９に記載の動物用トイレの包装体。
【発明の詳細な説明】
【技術分野】
【０００１】
本発明は、動物用トイレの包装体に関する。
【背景技術】
【０００２】
従来より、物品の販売に際して、包装体の内部に収容される物品や、その物品とともに用いられる付属品を購入前に視認可能にするため、包装体の一部を透明にすることが知られている（例えば、特許文献１参照）。包装体の透明な部分は、包装体の他の部分よりも柔らかいシート状部材で形成されている。このような包装体では、購入者に見えやすい包装体の側面のみを透明にし、他の部分を別の素材で構成することで、流通時に必要な包装体の強度が担保されている。
【先行技術文献】
【特許文献】
【０００３】
【特許文献１】実開昭６３−１５４４７２号公報
【発明の概要】
【発明が解決しようとする課題】
【０００４】
ここで、動物用トイレのような上部が大きく開口した容器を、内部に付属品等を収容して、外部から動物用トイレの全体を視認可能な状態で販売する場合、包装体の側面部及び上面部を透明にすることが必要となる場合がある。この場合、容器の開口を柔らかい透明のシート状部材で覆うため、包装体の上面部が脆弱になり、包装体を積み重ねたり流通させたりする際に、強度が確保できないという問題があった。
【０００５】
本発明は、上部が大きく開口した動物用トイレを、外部から視認可能に包装する包装体において、流通時に必要な強度を確保できる包装体を提供することを目的とする。
【課題を解決するための手段】
【０００６】
（１）  本発明の動物用トイレの包装体は、上部が開口した動物の排泄物を収容可能な動物用トイレと、該動物用トイレに用いられる付属品と、前記動物用トイレ及び前記付属品を包装するケースと、を備える動物用トイレの包装体であって、前記ケースは、少なくとも前記開口を覆う上面部と、前記動物用トイレの底面部に接するケース底面部と、向かい合う一対の側面部と、を有し、少なくとも前記上面部が透明なシート状部材で構成され、
前記付属品を収容し、前記動物用トイレの底面部の上面から前記上面部までの高さを有する付属品収容容器をさらに備える。
【０００７】
（２）  前記動物用トイレは、前記動物用トイレの底面部の前記上面に形成される高摩擦領域を有することが好ましい。
【０００８】
（３）  前記動物用トイレは、前記動物が出入り可能であるとともに、液体を透過可能な貫通孔が形成された上部底面部を有する上部容器と、該上部容器の下方に配置される下部容器と、を備え、前記高摩擦領域は、前記貫通孔により構成されていることが好ましい。
【０００９】
（４）  前記付属品収容容器は、前記付属品が収容される収容容器本体と、該収容容器本体の下端部から突出する突起部と、を備え、前記付属品収容容器が前記上部底面部に配置された状態で、前記突起部が前記貫通孔に係合することが好ましい。
【００１０】
（５）  前記収容容器本体は、内部を視認可能に切り欠かれて形成された切り欠き部を有することが好ましい。
【００１１】
（６）  前記上部底面部は、前記高摩擦領域から前記上部容器の外周縁に向かって緩やかに上り傾斜する傾斜領域を備えることが好ましい。
【００１２】
（７）  前記付属品収容容器は、前記シート状部材よりも剛性の高い部材で形成されることが好ましい。
【００１３】
（８）  前記ケース底面部は、前記シート状部材よりも剛性の高い部材で形成されることが好ましい。
【００１４】
（９）  前記動物用トイレは、該動物用トイレの側壁から外側に突出する一対の取手部を有し、前記ケースは、少なくとも前記一対の取手部が配置される面が開口していることが好ましい。
【００１５】
（１０）  前記ケース底面部は、前記ケースが前記動物用トイレを包装した状態で、前記取手部に嵌合する嵌合固定部を備えることが好ましい。
【発明の効果】
【００１６】
本発明によれば、上部が大きく開口した動物用トイレを、外部から視認可能に包装する包装体において、流通時に必要な強度を確保できる包装体を提供することができる。
【図面の簡単な説明】
【００１７】
【図１】本実施形態の動物用トイレの包装体を示す斜視図である。
【図２】本実施形態の動物用トイレの包装体の分解斜視図である。
【図３】本実施形態の動物用トイレの分解斜視図である。
【図４】本実施形態の動物用トイレにおける上部容器の正面図である。
【図５】本実施形態の動物用トイレにおける下部容器の正面図である。
【図６】本実施形態の動物用トイレの使用状態において、図４に示す上部容器のＢ−Ｂ線から切断した断面図である。
【図７】本実施形態のケースの斜視図である。
【図８Ａ】本実施形態のケースの底板部の展開図である。
【図８Ｂ】本実施形態のケースのカバー部の展開図である。
【図９】本実施形態の付属品及び付属品収容容器の斜視図である。
【図１０】図１に示す動物用トイレのＡ−Ａ断面概略図である。
【図１１】本実施形態の他の変形例に係る付属品収容容器及び付属品の斜視図である。
【図１２】本実施形態の他の変形例に係る付属品収容容器及び付属品の斜視図である。
【発明を実施するための形態】
【００１８】
以下、本発明の動物用トイレの包装体１の好ましい実施形態について、図面を参照しながら説明する。
【００１９】
図１は、動物用トイレの包装体１を示す斜視図である。図２は、動物用トイレの包装体１の分解斜視図である。
【００２０】
動物用トイレの包装体１は、図１及び図２に示すように、動物用トイレ１０と、ケース４と、付属品５と、付属品収容容器６と、を備える。動物用トイレの包装体１は、動物用トイレ１０及び付属品収容容器６に収容された付属品５が、外部から視認可能にケース４に包装されたものである。
【００２１】
まず、動物用トイレ１０について、説明する。
図３は、動物用トイレ１０の分解斜視図である。図４は、動物用トイレ１０における上部容器２０の正面図である。図５は、動物用トイレ１０における下部容器３０の正面図である。図６は、動物用トイレ１０の使用状態において、図４に示す上部容器２０のＢ−Ｂ線から切断した断面図であり、吸液部材８及び排泄物処理材９をそれぞれ収容させた状態を示す図である。
【００２２】
動物用トイレ１０は、下部容器３０と、上部容器２０と、を備える。動物用トイレ１０は、例えば猫や犬等の室内で飼育されるペットの排泄物を収容可能なトイレである。
【００２３】
下部容器３０は、図３及び図５に示すように、下部底面部３１と、下部側壁部３２と、取手部３３と、隅部３４と、突出部３８と、貫通穴３９と、を有する。図３に示すように、下部容器３０は、上部が開放された容器である。
【００２４】
下部底面部３１は、図５に示すように、平面視で長方形の４つの角を、各長辺及び短辺に対して斜めに切り落としたような略八角形をしている。
下部側壁部３２は、下部底面部３１の周縁から起立する壁である。
【００２５】
取手部３３は、下部側壁部３２の外面に配置されている。取手部３３は、下部容器３０の短手方向の辺に１箇所ずつ、向かい合って計２箇所設けられている。取手部３３は、下部容器３０の外側に突出するように設けられている。
【００２６】
隅部３４は、下部容器３０における略八角形の八辺のうち、長辺と短辺とを繋ぐように斜めに配置される辺により構成される。
【００２７】
突出部３８は、図３及び５に示すように、隅部３４の上方に平面視でくの字に突出する部分である。突出部３８の上端側は、やや下り傾斜している。
貫通穴３９は、突出部３８の下方に形成されている。
【００２８】
上部容器２０は、図３及び４に示すように、上部底面部２１と、平面部２４と、傾斜領域２５と、上部壁部２２と、延出壁部２３と、を有する。上部容器２０は、下部容器３０の上方に配置される。上部容器２０は、動物が出入りする上部が開放された容器である。図４に示すように、上部容器２０は、平面視で長方形の４つの角を丸く曲面として、一の長辺の端部を外側に突出させた動物の顔の形状をしている。
【００２９】
上部底面部２１は、上部容器２０の底面である。また、上部底面部２１は、使用時に動物用トイレ１０の底面部の上面を構成する。上部底面部２１は、図３及び図４に示すように、平面部２４及び傾斜領域２５を有する。
【００３０】
平面部２４は、平面視で上部底面部２１の略中央に形成され、上部底面部２１の高さ方向における最も下方に配置されている。平面部２４は、上部底面部２１の略水平方向に延びる面である。平面部２４は、上部底面部２１に形成された液体を透過可能な複数の貫通孔２１１と、隣接する貫通孔２１１と貫通孔２１１との間の上部底面部２１の部分により構成され、平面部２４は、高摩擦領域となっている。
貫通孔２１１は、上部容器２０の幅方向に長い長円が縦横に規則的に、略格子状に並んでいる。このように、貫通孔２１１が複数形成されることにより、平面部２４における表面が凸凹して滑りづらくなるため、貫通孔２１１は、高摩擦領域を構成している。
【００３１】
傾斜領域２５は、図６に示すように、高摩擦領域の周縁から、上部底面部２１の外周縁に向かって緩やかに上り傾斜となる面である。傾斜領域２５のテーパ角度は、平面部２４に対して５度〜６０度であることが好ましい。傾斜領域２５のテーパ角度が５度を下回る程に浅すぎると、動物の尿等を高摩擦領域側へ移動させて、下部容器３０に誘導することが難しくなる。また、傾斜領域２５のテーパ角度が６０度を超える程に深すぎると、動物が上部容器２０に乗った際に、足を安定して乗せる場所が狭くなる。このため、テーパ角度は上記の範囲が好ましい。
【００３２】
上部壁部２２は、図２に示すように、上部底面部２１の周縁から起立して上方へ延びている。上部壁部２２は、上部容器２０の上端部まで延び、上端部で外側に向かって反っている。
【００３３】
延出壁部２３は、上部壁部２２の外面から下方に延びて形成されている。延出壁部２３は、その下端部が上部底面部２１よりも下方に位置するように配置される。また、図１に示すように、延出壁部２３は、上部容器２０を下部容器３０の上に配置した状態で、下部側壁部３２よりも外側に位置している。
【００３４】
延出壁部２３は、足部２３１と、切り欠き部２３２と、を有する。
足部２３１は、本実施形態では４本形成されている。足部２３１は、床等の動物用トイレ１０の設置面に下端部が当接して上方に延び、上部容器２０を支えるように形成されている。足部２３１は、上部容器２０の長辺と短辺とを繋ぐ曲面に沿って形成されている。足部２３１は、隅部３４に対応する位置に、隅部３４の外側に配置されている。なお、上部容器２０を下部容器３０の上から被せるように配置する際は、下部容器３０の突出部３８を避けて下部容器３０の外側に位置するように足部２３１の位置を確認することができ、また、突出部３８の上端側が下り傾斜していることにより、足部２３１を突出部３８の上端部の下り傾斜部に沿うように移動させることができる。
【００３５】
切り欠き部２３２は、延出壁部２３の下端部側の縁が、上方に向かって弧を描くように切り欠かれて形成される。切り欠き部２３２からは、下部側壁部３２の外面が露出する。切り欠き部２３２は、延出壁部２３における向かい合って配置される面に対称に設けられる。
【００３６】
ここで、下部容器３０における上述の取手部３３は、上部容器２０の切り欠き部２３２が形成される位置と対応する位置に設けられている。このため、図１に示すように、取手部３３は、下部容器３０が上部容器２０の下方に配置された状態で、上部容器２０の長手方向の端部側の側壁から外側に突出している。
【００３７】
以上の動物用トイレ１０は、図６に示すように、使用時には下部容器３０に吸液部材８を載置し、上部容器２０に粒状の排泄物処理材９を収容して用いられる。
【００３８】
吸液部材８は、尿等の動物の排泄物を吸収可能な部材である。吸液部材８は、液透過性の表面シートと、液保持性の中間シートと、液不透過性の裏面シートを積層して接合した四角形のシートである。
なお、吸液部材８は長方形であり、下部容器３０は、略八角形で隅部３４を有しているため、吸液部材８を下部容器に収容すると隅部３４で曲がる場合がある。この場合、吸液部材８の角を貫通穴３９から外側へ出すことで、吸液部材８に皺が寄ったりずれたりすることを防止できる。
【００３９】
排泄物処理材９は、尿等液体の動物の排泄物を吸収したり、透過させたりする粒状の処理材であり、いわゆるトイレ砂である。トイレ砂としては、撥水性で多くの液体を吸液部材８へ透過させるタイプや、尿等の液体を吸収すると固化するタイプ等、様々な素材の粒状物が適宜用いられる。
【００４０】
以上の動物用トイレ１０は、次のように用いられるシステムトイレである。下部容器３０に吸液部材８を載置し、上部容器２０に粒状の排泄物処理材９を収容した状態で、動物が上部容器２０に入り、排泄を行う。すると、尿等の液体は、排泄物処理材９の間を透過し、上部底面部２１に形成された貫通孔２１１を透過して、下部容器３０の吸液部材に吸収される。一方、便のような固体は、排泄物処理材９の上に残る。そこで、使用者は、付属品５のスコップにより便及び便の周りに付着している排泄物処理材９を除去して廃棄する。吸液部材８は尿を吸収後取り替えられる。また、排泄物処理材９は、除去により量が減った場合、動物が快適に排泄できるよう、適宜継ぎ足される。
【００４１】
次に、ケース４について説明する。
図７は、ケース４の斜視図である。図８Ａは、ケース４の底板部４１の展開図であり、図８Ｂは、ケース４のカバー部４２の展開図である。
ケース４は、動物用トイレ１０、後述の付属品５及び付属品収容容器６を包装する。ケース４は、図７及び図８Ａ、８Ｂに示すように、ケース底面部としての底板部４１と、カバー部４２と、を有する。ケース４は、動物用トイレ１０を内部に配置した状態で、動物用トイレ１０の四面を覆うように、略筒状に形成されている。ケース４における少なくとも動物用トイレ１０の取手部３３が配置される面は、開口している。
【００４２】
カバー部４２は、図７及び図８Ｂに示すように、略長方形の透明なシート状部材で形成されている。詳細には、カバー部４２は、ポリプロピレン等の素材で構成され、動物用トイレの包装体１を積み重ねたり外側から押したりしても、容易には破けない程度の剛性を有する。カバー部４２は、上面部４２１と、一対の側面部４２２（４２２ａ、４２２ｂ）と、係合突起部４２３と、を有する。
【００４３】
カバー部４２は、ポリプロピレンの他、シリコンゴム、ポリエチレンテレフタレート（ＰＥＴ）、ナイロン、ポリエチレン（ＰＥ）、ポリ塩化ビニル（ＰＶＣ）、又はこれらの複合素材を用いて形成することができる。カバー部４２は、例えば、ＪＩＳのＫ７１１３（プラスチックの引張試験方法）で測定した場合、降伏強度（Ｙｉｅｌｄ  Ｓｔｒｅｎｇｔｈ）が３０ＭＰａ〜４０ＭＰａの剛性を有することが好ましい。
【００４４】
上面部４２１は、動物用トイレ１０の上部容器２０の開口を覆う部分であり、図８Ｂに示すように、略長方形のシート状部材における長手方向の略中央部に形成される。
【００４５】
一対の側面部４２２は、上面部４２１をはさんで一方と他方に配置され、上部容器２０を包装した状態では互いに向かい合うように配置される。一対の側面部４２２と、上面部４２１との境界は、カバー部４２を構成するシート状部材を幅方向に折り曲げることで形成される。
一対の側面部４２２は、それぞれ開封部４２４と、段差部４２５と、を有する。
段差部４２５は、一方の側面部４２２ａにおいて、この側面部４２２ａと上面部４２１との境界に配置される。段差部４２５は、側面部４２２ａ及び上面部４２１との境界線と、境界線から所定の距離離れた位置とで折られ、カバー部４２の幅方向に沿って所定幅形成される部分である。段差部４２５は、上部容器２０における動物の入り口部分となる正面近傍の上端縁が、他の部分の上端縁よりも下方に傾斜した部分に当接するように形成されている。
開封部４２４は、段差部４２５の形成されない他方の側面部４２２ｂと上面部４２１との境界近傍に配置され、カバー部４２の幅方向に沿って形成されるミシン目である。
【００４６】
係合突起部４２３は、カバー部４２の幅方向に延びる辺から外側に突出する突起面である。係合突起部４２３は、カバー部４２の幅方向に延びる辺にそれぞれ２つ間隔をあけて形成され、合計４つ形成されている。
【００４７】
底板部４１は、動物用トイレ１０の底面部を構成する下部底面部３１の下に配置される。底板部４１は、シート状部材よりも剛性の高い略長方形の板状の部材で形成されている。底板部４１は、例えばダンボール紙により形成されている。底板部４１は、動物用トイレ１０を載せて持ち運んでも折れたり潰れたりしない程度の剛性を有する素材で構成される。底板部４１は、底板本体部４１１と、嵌合固定部４１２と、係合切り込み部４１３と、を有する。
【００４８】
底板本体部４１１は、底板部４１の主要な部分を構成する略長方形の部分である。
嵌合固定部４１２は、底板本体部４１１の長手方向の両端部において、幅方向に沿う側縁の略中央部から外側に突出するように形成されている。
【００４９】
嵌合固定部４１２は、底板本体部４１１と同じ素材で形成され、底板本体部４１１との境界部分で上方に向かって起立するように折り曲げられる。図１及び図１０に示すように、嵌合固定部４１２は、動物用トイレ１０がケース４に包装された状態で、下部容器３０の取手部３３の裏側に嵌合するように配置される。したがって、嵌合固定部４１２と底板本体部４１１との境界部分から、嵌合固定部４１２における底板部４１の長手方向の端部側までの距離Ｄは、嵌合固定部４１２が折られた状態で取手部３３の裏面に嵌り込むことが可能な長さに調整される。
【００５０】
係合切り込み部４１３は、底板本体部４１１の長手方向の一の側縁に沿って間隔をあけて２つ形成され、向かい合う一対の長手方向の側縁において対称に４つ形成された切込みである。係合切り込み部４１３は、長手方向の一の側縁における係合切り込み部４１３同士の間隔が、カバー部４２に形成される係合突起部４２３同士の間隔と対応するように配置されている。また、それぞれの係合切り込み部４１３は、係合突起部４２３が挿通可能な長さに切り込まれる。図２及び図７に示すように、係合切り込み部４１３には、係合突起部４２３が底板本体部４１１の裏側から挿通されて係合する。
【００５１】
以上のカバー部４２の表面には、所望の印刷等を施してもよい。この場合、印刷を施したカバー部４２の表面に例えばニス等の透明な被覆層を形成することで、カバー部４２の表面に傷をつきにくくすることができ、印刷の剥がれを防止できる。
【００５２】
次に、付属品５及び付属品収容容器６について説明する。
図９は、本実施形態の付属品５及び付属品収容容器６の斜視図である。図１０は、図１に示す動物用トイレのＡ−Ａ断面概略図である。
【００５３】
付属品５は、動物用トイレ１０に用いられる物品であり、本実施形態では、スコップ５である。スコップ５は、柄の先に有底のさじ部が形成されたものである。スコップ５は、動物用トイレ１０の使用時に、便及び便の周りに付着している排泄物処理材９を除去する場合等に用いられる。
なお、動物用トイレの包装体１には、スコップ５のほかに、吸液部材８や排泄物処理材９が収容されていてもよい。
【００５４】
付属品収容容器６は、スコップ５を収容可能な略直方体の箱である。付属品収容容器６は、収容容器本体６１と、突起部６２と、切り欠き部６３と、を有する。付属品収容容器６は、カバー部４２を構成するシート状部材よりも剛性の高い素材で形成される。付属品収容容器６は、例えばダンボールで形成される。
【００５５】
収容容器本体６１は、付属品収容容器６の主要な部分を構成する略直方体の部分である。収容容器本体６１はスコップ５を収容する。収容容器本体６１は、図１０に示すように、上部底面部２１に載置された状態で、上部底面部２１の内面からカバー部４２の上面部４２１までの高さＨ１に略等しい高さを有する。具体的には、収容容器本体６１は、高さＨ１に等しいか、わずかに低いことが好ましく、Ｈ１の誤差として５ｍｍ以上５ｍｍ以下の範囲の高さを有する。
【００５６】
突起部６２は、収容容器本体６１の下端部から突出する複数の突起である。詳細には、突起部６２は、収容容器本体６１の側面の一部が下方に延出して形成される。突起部６２は、上部底面部２１に形成された貫通孔２１１に挿通可能な寸法を有して形成される。図９に示すように、付属品収容容器６が上部底面部２１に配置された状態で、突起部６２は、貫通孔２１１に挿入されて係合することで収容容器本体６１を固定する。
【００５７】
切り欠き部６３は、収容容器本体６１の側面部を切り欠いて形成された貫通穴である。切り欠き部６３は、収容容器本体６１の側面部よりも一回り小さな略長方形の穴であり、切り欠き部６３から、内部に収容されたスコップ５が外部から視認可能である。
【００５８】
以上説明した本実施形態の動物用トイレの包装体１によれば、以下のような作用効果を奏する。
（１）  動物用トイレ１０と、付属品５と、ケース４を備える動物用トイレの包装体１において、ケース４を、少なくとも開口を覆う上面部４２１と、動物用トイレ１０の底面部３１に接する底板部４１と、向かい合う一対の側面部４２２と、を含むとともに、少なくとも上面部４２１を透明なシート状部材で構成した。また、動物用トイレの包装体１に、付属品５を収容し、動物用トイレ１０の底面部の上面を構成する上部底面部２１から上面部４２１までの高さを有する付属品収容容器６をさらに含んで構成した。これにより、動物用トイレの開口を覆う透明なシート状部材で形成されたケース４の上面部４２１を付属品収容容器６が支柱となって支えるため、動物用トイレの包装体１を重ねたり、上面部４２１の上に何かが載置されても、動物用トイレの包装体１が破損しにくい。よって、上部が大きく開口した動物用トイレ１０を、外部から視認可能に包装する場合でも、流通時に必要な強度を確保することができる。
【００５９】
（２）  動物用トイレ１０を、動物用トイレ１０の底面部の上面を構成する上部底面部２１に形成される高摩擦領域を含んで構成した。これにより、高摩擦領域に付属品収容容器６を載置すると、付属品収容容器６と高摩擦領域との摩擦係数が高いため、付属品収容容器６が動物用トイレ１０の中でずれたり移動しにくくなる。
【００６０】
（３）  動物用トイレ１０を、高摩擦領域が形成される上部容器２０と、上部容器２０の下方に配置される下部容器３０と、を含んで構成し、高摩擦領域を、上部底面部２１に形成された貫通孔２１１により構成した。これにより、上部容器２０に排泄物処理材９を収容して動物が排泄した際に、尿等の液体を上部容器２０から下部容器３０に透過させることができる。
【００６１】
（４）  付属品収容容器６を、付属品５が収容される収容容器本体６１と、収容容器本体６１の下端部から突出する突起部６２と、を含んで構成し、付属品収容容器６が上部底面部２１に配置された状態で、突起部６２を貫通孔２１１に係合させた。突起部６２が貫通孔２１１に係合するため、付属品収容容器６が上部容器２０の内部で動くことを防止できる。
（５）  収容容器本体６１を、内部を視認可能に切り欠かれて形成された切り欠き部６３を含んで構成した。これにより、動物用トイレ１０に付属品収容容器６を配置した状態で、外部から付属品収容容器６の内部に収容された付属品５を視認することができる。
【００６２】
（６）  上部底面部２１を、高摩擦領域から上部容器２０の外周縁に向かって緩やかに上り傾斜する傾斜領域２５を含んで構成した。これにより、付属品収容容器６の配置される高摩擦領域が低い面となり、その外側が緩やかに上り傾斜しているため、付属品収容容器６が高摩擦領域から外れて上部容器２０の周辺部に移動することを防止できる。
付属品収容容器６は、支柱となってケース４の上面部４２１を支えている。ここで、付属品収容容器６が、上部底面部２１における略中央側の高摩擦領域から外側に移動して上部容器２０の端に移動してしまうと、上部容器２０の中央部が大きく空くこととなる。このため、ケース４が潰れるリスクが高まる。しかし、上部底面部２１が高摩擦領域及びその周囲の傾斜領域を含んで構成され、付属品収容容器６が高摩擦領域の周囲に移動しにくいため、付属品収容容器６を上部容器２０の中央付近に固定することができる。
【００６３】
（７）  付属品収容容器６を、シート状部材よりも剛性の高い部材で形成した。これにより、シート状部材で形成されるケースの上面部４２１が撓んだりした場合でも、剛性の高い付属品収容容器６により上面部４２１を支えることができる。
【００６４】
（８）  底板部４１を、シート状部材よりも剛性の高い部材で形成した。これにより、動物用トイレ１０の荷重がかかる底板部４１を頑丈に構成することができる。よって、上部容器２０及び下部容器３０を備える動物用トイレ１０を十分支えることができる。
【００６５】
（９）  動物用トイレ１０を、動物用トイレ１０の側壁から外側に突出する一対の取手部３３を含んで構成し、ケース４を、少なくとも一対の取手部３３が配置される面が開口するように構成した。これにより、動物用トイレの包装体１を持ち運ぶ際に、ケースの開口から動物用トイレ１０の取手部３３を把持することができ、持ち運びが容易となる。
【００６６】
（１０）  底板部４１を、ケース４が動物用トイレ１０を包装した状態で、取手部３３に嵌合する嵌合固定部を含んで構成した。これにより、ケース４の底板部４１が動物用トイレ１０の取手部３３に嵌り込むため、動物用トイレ１０をケース４から外れにくくすることができる。
【００６７】
以上、本発明の好ましい各実施形態について説明したが、本発明は、上述した各実施形態に制限されるものではなく、適宜変更が可能である。
例えば、上記実施形態では、付属品収容容器６は、略直方体の収容容器本体６１を有しているが、必ずしも直方体でなくともよい。図１１及び１２は本実施形態の他の変形例に係る付属品収容容器６Ａ、６Ｂ及び付属品５の斜視図である。
【００６８】
収容容器本体は、図１１に示すように、カバー部４２の上面部４２１に当接する収容容器本体の上面部を有さず、開口していてもよい。開口していても、収容容器本体の切り欠き部の形成されていない方の長手方向に沿う側面の上端部と、一対の幅方向に沿う側面の上端部によりカバー部４２の上面部４２１が支持されるため、（１）と同様の効果を奏する。また、収容容器本体が上面部を有さないため、付属品収容容器６Ａを構成する素材を少なくすることができ、製造コストを低減することができる。
【００６９】
また、収容容器本体は、図１２に示すように、側断面視で下方が広がった台形の形状をしていてもよい。側断面視が台形形状の収容容器本体を有する付属品収容容器６Ｂによれば、上記（１）と同様の効果を奏するとともに、カバー部４２の上面部４２１をより安定して支えることができる。
【００７０】
また、上記実施形態では、付属品収容容器６の突起部６２を貫通孔２１１に係合させたが、これに限らない。突起部６２は、上部底面部２１の高摩擦領域に接してさらに摩擦を高め、付属品収容容器６がずれることを防止できる他の部材を備えてもよい。
【００７１】
また、上記実施形態では、カバー部４２は、上面部４２１と、一対の側面部４２２が透明なシート状部材で構成されているが、これに限られない。カバー部４２は、少なくとも上面部が透明であればよく、一対の側面部は透明でなくてもよい。
【００７２】
また、上記実施形態では、ケース４は、少なくとも一対の取手部３３が配置される面が開放されているが、これに限られない。ケースは、一対の取手部が配置される側に、向かい合う第２の一対の側面部を有してもよい。すなわち、ケースは、上面部と４つの側面部、さらに底板部からなる箱体であってもよい。この場合、上面部のみ透明であれば、他の部分はダンボール等で構成されていてもよい。ケースが箱体に形成される場合、（１）〜（８）の効果に加えて、ケース内が密閉されるため、内部に塵等が入り込みにくいという効果を奏する。
【符号の説明】
【００７３】
１    動物用トイレの包装体
４    ケース
５    付属品
６    付属品収容容器
１０  動物用トイレ
２０  上部容器
２１  上部底面部（動物用トイレの底面部）
２５  傾斜領域
３０  下部容器
３３  取手部
４１  底板部（ケース底面部）
６１  収容容器本体
６２  突起部
６３  切り欠き部
２４  平面部（高摩擦領域）
２１１  貫通孔
４１２  嵌合固定部
４２１  上面部
４２２  側面部
【図１】
2015065955.tif 000003
【図２】
2015065955.tif 000004
【図３】
2015065955.tif 000005
【図４】
2015065955.tif 000006
【図５】
2015065955.tif 000007
【図６】
2015065955.tif 000008
【図７】
2015065955.tif 000009
【図８Ａ】
2015065955.tif 000010
【図８Ｂ】
2015065955.tif 000011
【図９】
2015065955.tif 000012
【図１０】
2015065955.tif 000013
【図１１】
2015065955.tif 000014
【図１２】
2015065955.tif 000015